(57)【要約】【課題】最経済となる電源供出計画を決定する。【解決手段】自己が保有する電源を電力市場へ供出する電源供出計画の立案を支援する電力計画支援装置１は、供出電源発動予測部１３ａと、供出計画立案部１３ｂとを備える。供出電源発動予測部１３ａは、電力市場へ供出された自己が保有する供出電源が運用時に発動されるか否かを予測する。供出計画立案部１３ｂは、供出電源発動予測部１３ａによる供出電源の発動予測結果に基づいて、電力市場へ供出する自己の供出電源を組合せた供出電源シナリオ毎の収益評価を行う。【選択図】図２
2020190965.tif 000002
【特許請求の範囲】
【請求項１】
自己が保有する電源を電力市場へ供出する電源供出計画の立案を支援する電力計画支援装置であって、
前記電力市場へ供出された自己が保有する供出電源が運用時に発動されるか否かを予測する供出電源発動予測部と、
前記供出電源発動予測部による供出電源の発動予測結果に基づいて、前記電力市場へ供出する自己の供出電源を組合せた供出電源シナリオ毎の収益評価を行う供出計画立案部と
を備えたことを特徴とする電力計画支援装置。
【請求項２】
前記供出電源発動予測部は、
市場参加者が前記電力市場へ供出する供出電源を推定する市場参加者供出電源推定部
をさらに備えたことを特徴とする請求項１に記載の電力計画支援装置。
【請求項３】
前記供出電源発動予測部は、
前記市場参加者供出電源推定部による市場参加者が前記電力市場へ供出する供出電源の推定結果に基づいて、前記電力市場へ供出する自己の供出電源のうち約定される電源を、メリットオーダのシミュレーションによって予測する
ことを特徴とする請求項２に記載の電力計画支援装置。
【請求項４】
前記供出電源発動予測部は、
前記メリットオーダのシミュレーション結果と、自己の供出電源の運用時における電力需要の予測誤差と、運用時に使用可能な自己の供出電源の稼働に係る費用とに基づいて、自己の供出電源の運用時の発動時間および発動量を予測する調整力発動量予測部
を備えることを特徴とする請求項３に記載の電力計画支援装置。
【請求項５】
前記供出電源発動予測部は、
市場参加者が前記電力市場へ供出する供出電源を他の電力市場における約定結果から予測し、
自己の供出電源の運用時の発動時間および発動量を、前記市場参加者と自己のそれぞれが前記電力市場へ供出する各供出電源の発電コストから予測する
ことを特徴とする請求項４に記載の電力計画支援装置。
【請求項６】
前記供出電源発動予測部は、
前記他の電力市場における電力価格と市場参加者が保有する電源の発電コストとに基づいて、市場参加者が前記他の電力市場へ供出するための各供出電源の発電量を予測し、前記他の電力市場へ供出する供出量から各供出電源の発電余力を予測することで、市場参加者の前記電力市場への供出電源および供出量を予測する
ことを特徴とする請求項５に記載の電力計画支援装置。
【請求項７】
前記供出計画立案部は、
前記供出電源シナリオ毎に予測した各電源の発動量を運用時に確保する供出電源シナリオ別電源運用制約を充足する電力の調達販売計画を制約付き最適化計算により立案することで前記供出電源シナリオ毎の収益を算出する
ことを特徴とする請求項１に記載の電力計画支援装置。
【請求項８】
前記供出計画立案部は、
前記供出電源シナリオにかかる供出電源の出力制約、仕様、および発電コストを含む仕様と、他の電力市場における電力の市場価格予測値とに基づき電力の調達販売計画を立案することで算出した収益が最大となる供出電源シナリオを、収益最大の供出電源シナリオとして決定する
ことを特徴とする請求項７に記載の電力計画支援装置。
【請求項９】
前記供出計画立案部は、
前記供出電源シナリオにかかる供出電源の出力制約を充足し、実質電力需要を供給可能、かつ供給および調達にかかる費用と市場での販売による収入から算出される収益が最大となる発電計画、他市場からの電力調達、および電力販売計画を含む前記調達販売計画を、該調達販売計画全体の収益を算出する前記制約付き最適化計算により立案する
ことを特徴とする請求項８に記載の電力計画支援装置。
【請求項１０】
前記出力制約は、電源供出のために確保する電力の確保余力量と、運用時における供出電源の発動指令から出力変動するまでに要する応動時間とを含む
ことを特徴とする請求項９に記載の電力計画支援装置。
【請求項１１】
前記供出計画立案部は、
前記供出電源シナリオ毎の収益を算出する際に、各供出電源シナリオにおける供出電源毎のΔｋＷ単価およびｋＷｈ単価の少なくとも何れかに基づく供出時の報酬の予測値と、前記供出シナリオ毎に予測した各電源の発動量とに基づいて、電源供出による収益を予測する
ことを特徴とする請求項１に記載の電力計画支援装置。
【請求項１２】
自己が保有する電源を電力市場へ供出する電源供出計画の立案を支援する電力計画支援装置が行う電力計画支援方法であって、
前記電力市場へ供出された自己が保有する供出電源が運用時に発動されるか否かを予測し、
前記供出電源の発動予測結果に基づいて、前記電力市場へ供出する自己の供出電源を組合せた供出電源シナリオ毎の収益評価を行う
各処理を含んだことを特徴とする電力計画支援方法。
【請求項１３】
コンピュータを、
電力市場へ供出された自己が保有する供出電源が運用時に発動されるか否かを予測する供出電源発動予測部、
前記供出電源発動予測部による供出電源の発動予測結果に基づいて、前記電力市場へ供出する自己の供出電源を組合せた供出電源シナリオ毎の収益評価を行う供出計画立案部
として機能させるため電力計画支援プログラム。
【発明の詳細な説明】
【技術分野】
【０００１】
本発明は、電力計画支援装置、電力計画支援方法、および電力計画支援プログラムに関する。
【背景技術】
【０００２】
近年、電力分野における電力システム改革により、需給調整市場等の新たな市場の開設が進められている。発電事業者は、経済的利益の追求のために、卸電力市場や需給調整市場等の複数の電力市場での電力販売を見据えて、発電計画や市場取引計画を最適化することが求められる。
【０００３】
こうした発電事業者の市場取引計画等を支援する技術として、例えば特許文献１には、「電力市場における取引を仮想的に実現し、電力の需給バランスと送電線容量や発電設備の制約を考慮した電力取引シミュレーションを長期間に亘って高精度に行う」こと、また市場参加者の入札シミュレーションを行う上で「発電出力が限界費用曲線より安い価格では、限界費用曲線より安く買い入札を設定して買い入札を行い、発電出力が限界費用曲線を超える高い価格では、売り入札を限界費用曲線より高く設定して売り入札を行うといった方法で入札計画を作成する」ことが開示されている。
【０００４】
また例えば特許文献２には、「火力・揚水ユニット分担需要に対して、火力ユニットの発電計画を作成し、解の候補とする」こと、また「次に、解の候補の発電計画に対して、低効率の火力ユニットの出力を揚水ユニットで代替することにより、揚水ユニットの発電計画を作成し、火力ユニットの発電計画を修正して、新たな発電計画を作成する」ことが開示されている。
【先行技術文献】
【特許文献】
【０００５】
【特許文献１】特開２００７−１５９２３９号広報
【特許文献２】特開２００７−２８０２０４号公報
【発明の概要】
【発明が解決しようとする課題】
【０００６】
特許文献１に開示の入札計画方法は、他社の電源構成を想定し需要想定データに対する発電機メリットオーダすなわち限界費用曲線を予測することで、市場売買のための出力調整コストを評価し、調整コストを上回る収入を見込む入札を行うものである。また、特許文献２に開示の発電計画方法は、発電機メリットオーダの算出後に低効率の火力ユニットを揚水ユニット等の他のユニットへ持替えた場合の経済メリットを評価することで、より経済的な計画立案を行うものである。
【０００７】
しかしながら、特許文献１に開示の方法では、需給調整市場へ供出をする際の入札は電源単位で行われ、供出する電源によっては市場での評価額が変化する可能性がある。すなわち、総出力変更に伴う経済メリットは、供出する電源の市場での価値によって変動するため、適切な収益試算ができないという問題点がある。
【０００８】
また特許文献１および特許文献２に開示の何れの方法においても、需給調整市場へユニット供出した際、運用時に供出した電源が発動されるかどうかについては考慮されていない。需給調整市場では、供出ユニットの発動量に応じて得られるインセンティブが変動する可能性がある。よって、発電機メリットオーダの結果を用いて需給調整市場への供出電源を決定したとしても、供出した電源が運用時に発動がかかるとは限らず、発動がかからない場合は発動に備えたアイドリングコストのみ発生し、結果的に損失となる可能性があるという問題点がある。
【０００９】
こうした問題を解決するためには、需給調整力市場への電源供出による経済メリットを考慮した収益試算、また運用時の供出した電源の発動に係る予測値まで含めた計画の経済性評価により、発電計画および各電力市場への入札計画を立案することが求められる。
【００１０】
本発明は以上の点を考慮してなされたもので、市場参加者の需給調整市場への供出電源を予測することで、自己が保有する自己電源を供出した場合の発動時間および発動量を予測し、調整力として供出する自己電源の組合せ毎に収益を試算することで、最経済となる電源供出計画を決定する技術を提供することを１つの目的とする。
【課題を解決するための手段】
【００１１】
かかる課題を解決するため本発明においては、１つの解決手段として、自己が保有する電源を電力市場へ供出する電源供出計画の立案を支援する電力計画支援装置は、前記電力市場へ供出された自己が保有する供出電源が運用時に発動されるか否かを予測する供出電源発動予測部と、前記供出電源発動予測部による供出電源の発動予測結果に基づいて、前記電力市場へ供出する自己の供出電源を組合せた供出電源シナリオ毎の収益評価を行う供出計画立案部とを備えた。
【発明の効果】
【００１２】
本発明によれば、例えば、最経済となる電源供出計画を決定することができる。
【図面の簡単な説明】
【００１３】
【図１】実施形態１にかかる電力計画支援装置のハードウェア構成例を示す図。
【図２】実施形態１にかかる電力計画支援装置の機能構成例を示す図。
【図３】実施形態１にかかる電力計画支援処理の一例を示すフローチャート。
【図４】実施形態１にかかる供出電源発動予測処理の一例を示すフローチャート。
【図５】実施形態１にかかる市場参加者供出電源推定処理の一例を示すフローチャート。
【図６】実施形態１にかかる供出計画立案処理の一例を示すフローチャート。
【図７】実施形態１にかかる収益最大化計算処理の一例を示すフローチャート。
【図８】実施形態１にかかる前日需要予測値情報テーブルの一例を示す図。
【図９】実施形態１にかかる市場参加者電源情報テーブルの一例を示す図。
【図１０】実施形態１にかかるスポット市場約定結果テーブルの一例を示す図。
【図１１】実施形態１にかかる他供出電源推定結果テーブルの一例を示す図。
【図１２】実施形態１にかかる自社電源情報テーブルの一例を示す図。
【図１３】実施形態１にかかる供出電源シナリオリストテーブルの一例を示す図。
【図１４】実施形態１にかかる需給調整市場買い入札情報テーブルの一例を示す図。
【図１５】実施形態１にかかる気象予報値テーブルの一例を示す図。
【図１６】実施形態１にかかるエリア需要予測値テーブルの一例を示す図。
【図１７】実施形態１にかかる供出電源シナリオ別調整力発動予測値テーブルの一例を示す図。
【図１８】実施形態１にかかる供出電源シナリオ別電源運用制約テーブルの一例を示す図。
【図１９】実施形態１の最適化計算の実施結果の一例を示す図。
【図２０】実施形態２にかかる市場参加者電源供出タイプ情報テーブルの一例を示す図。
【図２１】実施形態２にかかる自社電源供出タイプ情報テーブルの一例を示す図。
【図２２】実施形態２にかかる他供出電源推定結果テーブル２の一例を示す図。
【図２３】実施形態２にかかる供出電源シナリオリストテーブル２の一例を示す図。
【図２４】実施形態２にかかる供出電源シナリオ別調整力発動予測値テーブル２の一例を示す図。
【発明を実施するための形態】
【００１４】
以下図面に基づき、本発明の実施形態を詳述する。以下実施形態を説明するための各図面において、同一参照符号で同一または類似の構成または処理を示し、重複する後出の説明を省略する。また後出の実施形態において、既出の実施形態と重複する説明を省略する。また各実施形態は、本発明の技術思想の範囲内および整合する範囲内でその一部または全部を組合せることができる。
【００１５】
以下の実施形態においては、テーブルでデータ形式を示すが、これに限らず、テーブル形式以外のデータ形式であってもよい。また、実施形態において、テーブルで示す各データは、適宜、入力装置を介して入力され、あるいは出力装置を介して表示画面へ出力されてもよい。
【００１６】
［実施形態１］
実施形態１では、自社（あるいは自己）以外の市場参加者（他の市場参加者）の需給調整市場への供出電源を他の電力市場での約定結果から予測することで、供出した自社の電源の発動、発動時間および発動量を予測し、調整力として供出する供出電源を組合せた電源供出シナリオを予測する電力計画支援装置について説明する。本実施形態にかかる電力計画支援装置は、電源供出シナリオにおける供出電源の組合せ毎に予測した調整力発動量を絶対確保量とする制約付き最適化計算を行うことで供出電源シナリオ毎の想定収益を試算し、最経済となる供出電源の組合せを決定する。
【００１７】
（実施形態１の電力計画支援装置１のハードウェア構成例）
先ず実施形態１の電力計画支援装置１のハードウェア構成について説明する。図１は、実施形態１にかかる電力計画支援装置１のハードウェア構成例を示す図である。電力計画支援装置１は、ＣＰＵ（Central  Processing  Unit）１０、入出力装置１１、通信装置１２、および記憶装置１３等を備える。電力計画支援装置１は、特定の場所に設置されたローカルサーバでもよいし、クラウドサーバでもよい。
【００１８】
ＣＰＵ１０は、電力計画支援装置１全体の動作制御を司るプロセッサである。また記憶装置１３は、半導体メモリ等から構成され、主として各種プログラムを記憶保持するために利用される。記憶装置１３に格納されたプログラムをＣＰＵ１０が実行することにより、後述のような電力計画支援装置１全体としての各種処理が実行される。記憶装置１３は、ＣＰＵ１０とＲＡＭ等のメモリが協働して実行するプログラムにより実現される供出電源発動予測部１３ａおよび供出計画立案部１３ｂを含む。
【００１９】
入出力装置１１は、入力装置および出力装置から構成される。入力装置は、ユーザが各種操作入力を行うためのハードウェアであり、例えば、キーボード、マウスまたはタッチパネル等が適用される。また出力装置は、画像や音声を出力するハードウェアであり、例えば液晶ディスプレイおよびスピーカ等が適用される。通信装置１２は、所定の通信規格に準拠した通信方式で外部端末との間で通信を行う機能を有する。
【００２０】
（実施形態１の電力計画支援装置１の機能構成例）
次に実施形態１の電力計画支援装置１の機能構成について説明する。図２は、実施形態１にかかる電力計画支援装置１の機能構成例を示す図である。電力計画支援装置１が有する電力計画支援機能は、市場参加者の需給調整市場への供出電源を他の電力市場での約定結果から予測することで、自社電源を供出した場合の発動時間および発動量を予測し、各電源について調整力として供出する供出電源の組合せである供出電源シナリオを想定する。そして、供出電源シナリオにおける電源の組合せ毎に予測した調整力発動量を絶対確保量とする制約付き最適化を行うことで、供出電源シナリオ毎の想定収益を試算し、最経済となる供出電源の組合せを決定する。
【００２１】
このような電力計画支援機能を実現するための手段として、電力計画支援装置１の記憶装置１３は、図１および図２に示すように、プログラムの実行により実現される供出電源発動予測部１３ａおよび供出計画立案部１３ｂを有する。供出電源発動予測部１３ａおよび供出計画立案部１３ｂを実現するプログラムは、自装置内またはネットワークを介して通信可能な他装置内の記憶装置に記憶され、ＣＰＵ１０により記憶装置１３へロードされて実行される。あるいはかかるプログラムは、記憶媒体に記憶され、媒体読み取り装置により読み出され、ＣＰＵ１０により記憶装置１３へロードされて実行されてもよい。
【００２２】
供出電源発動予測部１３ａは、自社の保有する各電源を調整力として供出した場合に運用段階で発動指示がかかる時間帯および発動量を予測する機能を有するプログラムの実行により実現される。供出計画立案部１３ｂは、自社の保有する各電源を調整力として供出する電源供出シナリオを想定し、電源供出シナリオにおける供出電源の組合せ毎に発電計画および市場取引計画を含む計画全体での収益評価を行う機能を有するプログラムの実行により実現される。
【００２３】
さらに図２を参照して、供出電源発動予測部１３ａおよび供出計画立案部１３ｂの機能構成について説明する。
【００２４】
供出電源発動予測部１３ａは、図２に示すように、市場参加者供出電源推定部２０１、供出電源シナリオ決定部２０２、広域メリットオーダシミュレーション部２０３、需給変動量予測部２０４、および調整力発動量予測部２０５を含む。さらに供出電源発動予測部１３ａは、必要な情報を管理するためのデータベースとして、前日需要予測値ＤＢ０、市場参加者電源情報ＤＢ１、スポット市場約定結果ＤＢ２、他供出電源推定結果ＤＢ３、需給調整市場買い入札情報ＤＢ４、自社電源情報ＤＢ５、気象予報値ＤＢ６、エリア需要予測値ＤＢ７、供出電源シナリオ別調整力発動予測値ＤＢ８、および供出電源シナリオリストＤＢ１０を備えて構成される。
【００２５】
市場参加者供出電源推定部２０１は、市場参加者の需給調整市場への供出電源を予測する機能部である。市場参加者供出電源推定部２０１により予測された市場参加者の供出電源推定結果は、他供出電源推定結果ＤＢ３に格納される。
【００２６】
供出電源シナリオ決定部２０２は、自社の保有電源の中から需給調整市場へ供出する電源の組合せを供出電源シナリオとして仮決定する機能部である。供出電源シナリオ決定部２０２で仮決定された供出電源シナリオは、供出電源シナリオリストＤＢ１０に格納される。
【００２７】
広域メリットオーダシミュレーション部２０３は、他社の供出電源推定結果と、需給調整市場の買い入札情報と、仮決定された自社の供出電源シナリオに基づいて、広域メリットオーダのシミュレーション行う機能部である。広域メリットオーダシミュレーション部２０３によって実施された広域メリットオーダのシミュレーション結果は、調整力発動量予測部２０５に入力される。
【００２８】
需給変動量予測部２０４は、運用時における電力需給の変動を予測する機能部である。需給変動量予測部２０４によって予測された需給変動量は、調整力発動量予測部２０５に入力される。需給変動量予測部２０４による需給変動量の予測処理は、図４を参照して後述する。
【００２９】
調整力発動量予測部２０５は、広域メリットオーダのシミュレーション結果と、需給変動量予測結果に基づいて、仮決定した供出電源シナリオにおける運用時の時刻別の調整力発動量を予測する機能部である。調整力発動量予測部２０５によって予測された調整力発動量予測結果は、供出電源シナリオ別調整力発動予測値ＤＢ８に格納される。
【００３０】
供出計画立案部１３ｂは、図２に示すように、電源運用制約決定部２０６、時間前市場価格予測部２０７、供出電源シナリオ選択部２０８、出力制約付き火力発電計画部２０９、時間前市場入札計画部２１０、揚水汲上げ放水計画部２１１、収益評価値算出部２１２、および取引実行部２１３を含む。さらに供出計画立案部１３ｂは、必要な情報を管理するためのデータベースとして、供出電源シナリオ別電源運用制約ＤＢ９を備えて構成される。
【００３１】
電源運用制約決定部２０６は、供出電源シナリオ別調整力発動予測値ＤＢ８に格納されている調整力発動量予測結果に基づき、供出電源シナリオにおける供出条件を充足するための電源運用制約を決定する機能部である。電源運用制約決定部２０６によって決定された電源運用制約は、供出電源シナリオ別電源運用制約ＤＢ９に格納される。
【００３２】
時間前市場価格予測部２０７は、時間前市場の価格を予測する機能部である。時間前市場価格予測部２０７によって予測された時間前市場価格予測結果は、時間前市場入札計画部２１０に入力される。
【００３３】
供出電源シナリオ選択部２０８は、収益評価に用いる供出電源シナリオを選択する機能部である。供出電源シナリオ選択部２０８によって選択された供出電源シナリオは、出力制約付き火力発電計画部２０９に入力される。
【００３４】
出力制約付き火力発電計画部２０９は、選択された供出電源シナリオの電源運用制約に基づき、自社保有電源における火力発電計画を立案する機能部である。出力制約付き火力発電計画部２０９によって立案された火力発電計画立案結果は、収益評価値算出部２１２に入力される。
【００３５】
時間前市場入札計画部２１０は、時間前市場における電力売買入札計画を立案する機能部である。時間前市場入札計画部２１０によって立案された時間前市場入札計画立案結果は、収益評価値算出部２１２に入力される。
【００３６】
揚水汲上げ放水計画部２１１は、自社の保有する揚水発電機の汲み上げおよび放水計画を立案する機能部である。揚水汲上げ放水計画部２１１によって立案された揚水汲上げ放水計画立案結果は、収益評価値算出部２１２に入力される。
【００３７】
収益評価値算出部２１２は、火力発電計画立案結果、時間前市場入札計画立案結果、および揚水汲上げ放水計画立案結果に基づいて、選択された供出電源シナリオにおける想定収益を算出する機能部である。収益評価値算出部２１２によって算出された供出電源シナリオの収益評価結果は、取引実行部２１３に入力される。
【００３８】
取引実行部２１３は、複数の供出電源シナリオに対する想定収益の評価結果に基づいて、電力市場での取引を実行する機能部である。
【００３９】
供出電源シナリオ選択部２０８、出力制約付き火力発電計画部２０９、時間前市場入札計画部２１０、揚水汲上げ放水計画部２１１、および収益評価値算出部２１２は、図２に示すように、収益最大化部２１４に含まれる構成である。
【００４０】
（電力計画支援機能に関する各種処理）
以下、本実施形態にかかる電力計画支援装置１により実行される各種処理の処理内容について説明する。なお、以下においては、各種処理の処理主体を各機能部として説明するが、各機能部を実現するプログラムまたはモジュールを実行するＣＰＵ１０が、実際の処理主体である。
【００４１】
（実施形態１の電力計画支援処理）
先ず実施形態１の電力計画支援装置１で実行される電力計画支援処理について説明する。図３は、実施形態１にかかる電力計画支援処理の一例を示すフローチャートである。図３は、本実施形態による電力計画支援機能に関する需給調整市場への供出電源決定の一連の処理の流れを示す。この電力計画支援処理は、定期的（例えば２４時間周期等の市場での約定処理が行われる周期）に実行される。
【００４２】
先ず、ステップＳ１００では、供出電源発動予測部１３ａは、自社保有の電源を需給調整市場に供出した場合の発動時間および発動量を予測する供出電源発動予測を行う。続いてステップＳ１０１では、供出計画立案部１３ｂは、供出電源発動予測部１３ａによって決定された供出電源発動予測結果データを取得し、選択した供出電源シナリオに基づいて、火力および揚水を含む発電計画、ならびに卸電力市場での取引計画を立案し、収益を算出する一連の処理を繰り返すことで、収益が最大となる供出電源を決定する供出計画立案を行う。
【００４３】
（実施形態１の供出電源発動予測処理）
次に図３のステップＳ１００において供出電源発動予測部１３ａにて実行される供出電源発動予測処理について説明する。図４は、実施形態１にかかる供出電源発動予測処理の一例を示すフローチャートである。
【００４４】
先ずステップＳ２００では、市場参加者供出電源推定部２０１は、前日需要予測値情報、市場参加者電源情報、およびスポット市場約定結果データを取得する。前日需要予測値情報は、市場参加者の相対契約先が小売契約を結ぶ需要家全体の前日需要予測値の情報を含み、例えば図８に示すテーブル形式で前日需要予測値ＤＢ０にて管理されている。市場参加者電源情報は、市場参加者の所有する発電機のエリアおよび種別の情報を含み、例えば図９に示すテーブル形式で市場参加者電源情報ＤＢ１にて管理されている。またスポット市場約定結果データは、前日時点で確定された各エリアの時刻別エリアプライスの情報が、例えば図１０に示すテーブル形式でスポット市場約定結果ＤＢ２にて管理されている。
【００４５】
続いてステップＳ２０１では、市場参加者供出電源推定部２０１は、取得したデータに基づいて市場参加者の供出電源を推定する市場参加者供出電源推定を行う。市場参加者供出電源推定の処理の詳細は、図５を参照して後述する。
【００４６】
続いてステップＳ２０２では、供出電源シナリオ決定部２０２は、自社電源情報データを取得する。自社電源情報は、例えば、保有する各発電機の出力、コスト、および稼働に係る制約が自社電源情報テーブルとして図１２に示す形式で自社電源情報ＤＢ５にて管理されている。
【００４７】
続いてステップＳ２０３では、供出電源シナリオ決定部２０２は、取得した自社の保有電源の中から需給調整市場へ供出する電源の組合せと電源毎の時刻毎の応札、ΔｋＷ単価、およびｋＷｈ単価を供出電源シナリオとして仮決定する。供出する電源の組合せの仮決定を行う具体的な手段としては、例えば考えられる全ての保有電源の組合せを供出電源シナリオとしてもよいし、任意の組合せのみを供出電源シナリオとしてもよい。
【００４８】
また入札時の応札量の具体的な決定手段としては、例えば、自社における発電計画の結果に基づき、供出電源毎の使用電源時刻ｔにおける出力と対象電源の最大出力から算出した余剰出力を応札量としてもよいし、供出電源が供出可能な範囲で任意に決定してもよい。
【００４９】
またΔｋＷ単価およびｋＷｈ単価の具体的な決定手段として、例えば、自社における発電計画の結果での供出電源の使用電源時刻ｔの増分燃料費に所定の係数を掛けた値を予測値としてもよいし、それ以外の任意の値を設定してもよい。このようにして仮決定した供出電源シナリオは、例えば図１３に示す形式で供出電源シナリオリストＤＢ１０に格納される。
【００５０】
続いてステップＳ２０４では、広域メリットオーダシミュレーション部２０３は、他社供出電源推定結果データおよび需給調整市場の買い入札情報を取得する。需給調整市場の買い入札情報は、例えば図１４に示すテーブル形式で需給調整市場の買い入札情報ＤＢ４にて管理されている。続いてステップＳ２０５では、広域メリットオーダシミュレーション部２０３は、ステップＳ２０３で仮決定された供出電源シナリオデータの内から選択した１つの供出電源シナリオを取得する。
【００５１】
続いてステップＳ２０６では、広域メリットオーダシミュレーション部２０３は、取得した他社の供出電源推定結果、需給調整市場の買い入札情報、および仮決定された自社の供出電源シナリオに基づいて、広域メリットオーダのシミュレーション行う。広域メリットオーダのシミュレーションを行う具体的な手段としては、図１４に示す需給調整市場の時間帯別の買い入札量に対して、図１１および図１３に示す他社および自社の時間帯別の応札に基づき、例えば、ΔｋＷ価格またはｋＷｈ価格が低い順に落札するように約定処理を実施し、各時間帯毎に約定する応札を決定する。
【００５２】
続いてステップＳ２０７では、需給変動量予測部２０４は、気象予報値データおよびエリア需要予測値データを取得する。気象予報値データは、例えば図１５に示すテーブル形式で気象予報値ＤＢ６にて管理されている。エリア需要予測値データは、各エリア全体の需要予測値のデータであり、例えば図１６に示すテーブル形式でエリア需要予測値ＤＢ７にて管理されている。
【００５３】
続いてステップＳ２０８では、需給変動量予測部２０４は、ステップＳ２０７で取得した気象予報値データおよびエリア需要予測値データに基づき、運用時の各時間帯において見込まれるエリア需要予測値の予測誤差を予測する。具体的な予測誤差の予測方法としては、例えば、過去の時系列データである気象予報値データ、エリア需要予測値データ、およびエリア需要予測誤差データに対して、自己回帰モデル等の回帰分析手法を用いて、気象予報値データおよびエリア需要予測値データに対するエリア需要予測誤差を算出する。
【００５４】
続いてステップＳ２０９では、調整力発動量予測部２０５は、広域メリットオーダシミュレーションの結果、落札された調整力応札のリストと、見込まれるエリア需要予測誤差に基づいて、選択した供出電源シナリオにおける各発電機の運用時の時間帯別の発動量を予測する。具体的には、調整力発動量予測部２０５は、想定されるエリア需要予測誤差が発生した際に需給一致させるために必要な供給量に対して、落札された全ての応札の中から、例えばｋＷｈ価格が安いものから順番に発動するものとして、時間帯別の各発電機の発動量を予測する。
【００５５】
続いてステップＳ２１０では、調整力発動量予測部２０５は、このようにして予測した供出電源シナリオにおける各発電機の約定結果、発動時間、および運用時の発動量を、例えば図１７に示す形式で供出電源シナリオ別調整力発動予測値ＤＢ８に登録する。図１７に示す供出電源シナリオ別調整力発動予測結果は、例えば入出力装置１１の出力画面等に表示され、ユーザに対して供出電源シナリオ別調整力発動予測結果を示すインターフェースとされてもよい。
【００５６】
続いてステップＳ５１１では、供出電源発動予測部１３ａは、ステップＳ２０６からステップＳ２１０の一連の処理を全ての供出電源シナリオについて処理したかを判定する。供出電源発動予測部１３ａは、処理した場合（ステップＳ２１１Ｙｅｓ）には供出電源発動予測処理を終了し、処理していない場合（ステップＳ２１１Ｎｏ）の場合にはステップＳ２０６に処理を移し、未処理の供出電源シナリオについてステップＳ２０６からステップＳ２１０の処理を行う。
【００５７】
（実施形態１の供出電源発動予測処理）
次に図４のステップＳ２０１の市場参加者の供出電源推定処理の具体的な処理を説明する。図５は、実施形態１にかかる市場参加者供出電源推定処理の一例を示すフローチャートである。
【００５８】
先ずステップＳ５００では、市場参加者供出電源推定部２０１は、スポット市場約定結果における自社の電力供給エリアのエリアプライスが隣接エリアのエリアプライスと等しいかを比較する。市場参加者供出電源推定部２０１は、エリアプライスの等しい隣接エリアが存在する場合（ステップＳ５００Ｙｅｓ）にはステップＳ５０１に処理を移し、エリアプライスの等しい隣接エリアが存在しない場合（ステップＳ５００Ｎｏ）にはステップＳ５０２に処理を移す。ステップＳ５０１では、市場参加者供出電源推定部２０１は、ステップＳ５００で等しいエリアプライスと判定した隣接エリアを計算対象エリアとする。ステップＳ５０２では、市場参加者供出電源推定部２０１は、エリアプライスの等しい隣接エリアが存在しないので、自社の電力供給エリアのみを計算対象エリアとする。
【００５９】
ステップＳ５０１またはステップＳ５０２に続いてステップＳ５０３では、市場参加者供出電源推定部２０１は、計算対象エリアの市場参加者を市場参加者電源情報に基づき特定し、特定した市場参加者の相対契約先が小売契約を結ぶ需要家全体の前日需要予測値に対する発電計画を想定する。
【００６０】
具体的な発電計画想定手段として、例えば各市場参加者が保有する各発電機の出力毎のコストを、予め設定、または燃料単価を係数とした数式にて定義しておくことで、単位発電量当りの発電コストを設定する。例えば、発電機の出力、コスト、稼働に係る制約は、図９に示す形式で市場参加者電源情報ＤＢ１にて管理されている。そして、供給にかかる費用が最小となる各時刻の供給源の組合せと供給源の出力を求める最適化計算を実施する。供給源の組合せは、例えば複数の発電機の発電機起動停止（ユニットコミットメント）フラグである。最適化計算の際は、発電機の最小出力、最大出力、ランプ出力等の稼働に係る制約を充足する範囲の解を探索する。単位時間毎の発電機稼働に係るコストFuelCostは、例えば発電機毎の発電機コスト関数の係数（ａ，ｂ，ｃ）を用いて、式（１）により算出できる。
【００６１】
【数１】
2020190965.tif 000003
【００６２】
続いてステップＳ５０４では、市場参加者供出電源推定部２０１は、ステップＳ５０３にて想定した市場参加者の発電計画より、時刻ｔにおける限界費用を算出する。限界費用の算出は、例えば、時刻ｔにおいて起動中の全ての発電ユニットの増分燃料費を計算し合計することで算出する。
【００６３】
続いてステップＳ５０５では、市場参加者供出電源推定部２０１は、ステップＳ５０４で算出した時刻ｔにおける限界費用を同時刻ｔの対象エリアのエリアプライスと比較し、限界費用＞エリアプライスか否かを判定する。市場参加者供出電源推定部２０１は、限界費用＞エリアプライスの場合（ステップＳ５０５Ｙｅｓ）、ステップＳ５０６へ処理を移し、限界費用≦エリアプライスの場合（ステップＳ５０５Ｎｏ）、ステップＳ５０７へ処理を移す。
【００６４】
ステップＳ５０６では、市場参加者供出電源推定部２０１は、限界費用＞エリアプライスであるので、ステップＳ５０３にて想定した市場参加者の発電計画結果に基づいて、時刻ｔにおいて市場参加者が利用する使用電源を特定する。
【００６５】
ステップＳ５０７では、市場参加者供出電源推定部２０１は、限界費用≦エリアプライスとなる発電出力範囲を算出する。限界費用≦エリアプライスとなる発電出力範囲の具体的な算出手段としては、例えば、複数の発電機が運転されている場合、総出力値の増加に対して、各発電機の増分燃料費が等しくなるように出力配分されると考え、同じ増分燃料費に対して発電単価の小さなユニットから起動および出力増加していくものとして、総出力の増分に対する限界費用の増分を求めることで対象範囲を特定する。
【００６６】
ステップＳ５０７に続いてステップＳ５０８では、市場参加者供出電源推定部２０１は、特定した限界費用≦エリアプライスとなる発電出力範囲に基づき、時刻ｔにおいて市場参加者が利用する使用電源を特定する。具体的な使用電源の特定手段としては、例えば限界費用≦エリアプライスとなる発電出力範囲において起動する発電機は、相対先へ供給されるまたはスポット市場への売電に利用されるとみなすことで、市場参加者が利用する使用電源を特定する。
【００６７】
ステップＳ５０６またはステップＳ５０８に続いてステップＳ５０９では、市場参加者供出電源推定部２０１は、特定した市場参加者が利用する使用電源に基づき、市場参加者が保有する電源のうち需給調整市場へ供出する可能性のある電源を供出電源候補として決定する。具体的な供出電源候補の決定手段としては、例えば特定した市場参加者の使用電源以外の電源を供出電源候補としてもよいし、または特定した市場参加者の使用電源時刻ｔにおける出力および他の電力市場への供出量と、対象電源の最大出力から余剰出力を算出し、所定の余剰出力を有する電源を供出電源候補に加えてもよい。
【００６８】
続いてステップＳ５１０では、市場参加者供出電源推定部２０１は、ステップＳ５０９にて決定した供出電源候補について、需給調整市場への入札を予測する。予測する入札情報としては、例えば、応札量、ΔｋＷ単価、ｋＷｈ単価を対象とする。ここでΔｋＷ単価とは、実需給時点で電源の出力調整の能力に応じて設定される単価を示し、またｋＷｈ単価とは運用時に実際に発動された量に応じて課金される単価を示す。入札時の応札量の具体的な予測手段としては、例えば、ステップＳ５０３にて想定した発電計画結果に基づき、供出電源候補毎の使用電源時刻ｔにおける出力と対象電源の最大出力から算出した余剰出力を応札量としてもよい。またΔｋＷ単価およびｋＷｈ単価の具体的な予測手段としては、例えば、ステップＳ５０３にて想定した発電計画結果での供出電源の使用電源時刻ｔの増分燃料費に所定の係数を掛けた値を予測値としてもよい。
【００６９】
続いてステップＳ５１１では、市場参加者供出電源推定部２０１は、ステップＳ５０５からステップＳ５１０の一連の処理を全時刻ｔについて処理したか判定する。市場参加者供出電源推定部２０１は、全時刻ｔについて処理した場合（ステップＳ５１１Ｙｅｓ）はＳ５１２に処理を移し、全時刻ｔについて処理していない場合（ステップＳ５１１Ｎｏ）はステップＳ５０４に処理を戻し、未処理の時刻ｔについて処理を行う。
【００７０】
続いてステップＳ５１２では、市場参加者供出電源推定部２０１は、ステップＳ５０４からステップＳ５１１の一連の処理を全ての計算対象エリアの市場参加者について処理したか判定する。市場参加者供出電源推定部２０１は、全ての計算対象エリアの市場参加者について処理した場合（ステップＳ５１２Ｙｅｓ）は、市場参加者の供出電源推定処理を終了し、全ての計算対象エリアの市場参加者について処理していない場合（ステップＳ５１２Ｎｏ）はステップＳ５０３に処理を戻し、未処理の市場参加者について処理を行う。
【００７１】
市場参加者供出電源推定部２０１は、以上のようにして得られた他の市場参加者の供出電源の推定処理結果を、例えば図１１に示す形式で他供出電源推定結果ＤＢ３に格納する。図１１に示す他供出電源推定結果は、例えば入出力装置１１の出力画面等に表示され、ユーザに対して他供出電源推定結果を示すインターフェースとされてもよい。
【００７２】
（実施形態１の供出計画立案処理）
次に図３のステップＳ１０１において供出計画立案部１３ｂで実行される供出計画立案処理の具体的な処理の流れを説明する。図６は、実施形態１にかかる供出計画立案処理の一例を示すフローチャートである。
【００７３】
先ずステップＳ３００では、電源運用制約決定部２０６は、ステップＳ１００で算出された供出電源シナリオ別の調整力発動予測値データを取得する。
【００７４】
続いてステップＳ３０１では、電源運用制約決定部２０６は、ステップＳ３００で取得した供出電源シナリオ別の調整力発動予測値データに基づき、各供出電源シナリオにおける電源運用に係る制約値を決定する。具体的な電源運用制約値の決定手段としては、例えば、各供出電源シナリオに対するステップＳ１０１の処理の結果、約定されると判定された発電機については、応札量分の出力余力を対象時間帯に確保するものとして確保余力量を制約値として設定する。また各供出電源シナリオにおいてステップＳ１０１の処理の結果、運用時に発動が予測されると判定された発電機については、発動量分を需給バランス制約から除くものとして、計画時の需給一致制約から除く調整量として設定してもよい。また約定されると判定された発電機については、入札時に設定する調整力の種別に応じて、発動指令から出力変動するまでにかかる応動時間を制約値として設定してもよい。このようにして決定した各供出電源シナリオにおける電源運用に係る制約は、例えば、図１８に示す形式で供出電源シナリオ別電源運用制約ＤＢ９に登録される。図１８は、図１７の供出電源シナリオ別調整力発動予測テーブルに、「確保余禄量（ｋＷ）」、「需給一致制約調整量（ｋＷ）」、「応動時間（分）」の各列を追加したものである。
【００７５】
続いてステップＳ３０２では、時間前市場価格予測部２０７は、時間前市場価格を予測する。具体的な時間前市場価格の予測手段としては、例えば、過去の時系列データである時間前市場価格データと、時間前市場価格の変動要因となる相関が高いデータ、例えば、気象予報値データやエリア需要予測値データを学習データとし自己回帰モデル等の回帰分析手法を用いて、最新の気象予報値データやエリア需要予測値データに対する時間前市場価格を予測する。
【００７６】
続いてステップＳ３０３では、収益最大化部２１４は、調整力市場への供出や、火力および揚水を含む発電、卸電力市場での取引に関する計画を立案し、収益を算出する一連の処理を繰り返すことで、収益が最大となる計画を立案する計算処理を実行する。ステップＳ３０３の処理の詳細は、図７を参照して後述する。
【００７７】
続いてステップＳ３０４では、取引実行部２１３は、ステップＳ３０３で立案された収益が最大となる計画に基づいて取引を実行する。具体的には、取引実行部２１３は、ステップＳ３０３において収益最大となると判定された供出電源シナリオにおける発電機と対象時間帯の対象の応札量にて、需給調整市場での取引を実行する。そして取引実行部２１３は、ステップＳ３０４の処理が終了すると、供出計画立案処理を終了する。
【００７８】
（実施形態１の収益最大化計算処理）
次に図６のステップＳ３０３において収益最大化部２１４で実行される収益最大化計算処理の具体的な処理の流れを説明する。図７は、実施形態１にかかる収益最大化計算処理の一例を示すフローチャートである。
【００７９】
先ずステップＳ４０１では、供出電源シナリオ選択部２０８は、供出電源シナリオ別電源運用制約ＤＢ９から、全ての供出電源シナリオ別電源運用制約データを取得する。続いてステップＳ４０２では、供出電源シナリオ選択部２０８は、取得した供出電源シナリオリストの中から１つを供出電源シナリオとして選択する。供出電源シナリオの選択は、リストのＩＤに基づき未処理のものから順に行ってもよいし、ランダムに行ってもよい。
【００８０】
続いてステップＳ４０３では、出力制約付き火力発電計画部２０９、時間前市場入札計画部２１０、揚水汲み上げ放水計画部２１１、および収益評価値算出部２１２は、ステップＳ４０２で選択された供出電源シナリオに基づいて、調達販売計画を立案する。具体的には、例えば、自社が契約する相対供給先の翌日需要予測値と、自社が保有する再生可能エネルギー発電機の発電量予測値から、実質電力需要が算出され、供出電源シナリオの電源制約を充足し、実質電力需要を供給可能な、火力発電計画、時間前市場調達販売計画、および揚水汲み上げ放水計画が立案される。
【００８１】
例えば自社が発電設備を有する場合は、保有する各発電機の出力毎のコストを予め設定しておくか、または燃料単価を係数とした数式にて定義しておくことで、単位発電量当りの発電コストを設定する。例えば、発電機の出力、コスト、および稼働に係る制約は、自社発電機情報テーブル（図１２参照）に示す形式で管理されている。また時間前市場等の卸電力市場からの調達を１つの発電機と見なしてもよい。その場合、例えば、将来の時間前市場価格の予測値に基づき、単位調達量当りのコストを設定する。
【００８２】
そして、供給調達にかかる費用と、市場での販売による収入から算出される収益が最大となる供給源の組合せおよび供給源の出力を求める最適化計算を実施する。供給源の組合せは、例えば複数の発電機の発電機起動停止（ユニットコミットメント）フラグや、電力市場（例えば、時間前市場）からの調達をするまたはしないを決定するフラグである。供給源の出力は、例えば、各発電機の出力や、電力市場からの調達量である。最適化計算の際は、発電機の最小出力、最大出力、ランプ出力等の稼働に係る制約を充足する範囲の解を探索する。
【００８３】
単位時間毎の発電機稼働に係るコストは、例えば発電機情報テーブル（図１２参照）から取得した発電機毎のコスト関数の係数（ａ，ｂ，ｃ）を用いて、上述の式（１）により算出できる。
【００８４】
また供出電源シナリオの電源制約を充足した計画を立案する具体的な方法としては、例えば最適化時に用いるモデルの入力変数として図１３および図１８を参照し、以下を設定する。
【００８５】
yanci_(u,t,a)：ユニットｕを供出電源シナリオａとして供出する場合の時刻ｔにおける確保余力量（図１８の供出電源シナリオ別電源運用制約テーブルの「確保余力量」）。
【００８６】
zanci_(u,t,a)：ユニットｕを供出電源シナリオａとして供出する場合の時刻ｔにおける需給一致制約調整量（図１８の供出電源シナリオ別電源運用制約テーブルの「需給一致制約調整量」）。
【００８７】
tanci_(u,a)：ユニットｕを供出電源シナリオａとして供出する場合の応動時間（図１８の供出電源シナリオ別電源運用制約テーブルの「応動時間」）。
【００８８】
ianci_(u,t,a)：ユニットｕを供出電源シナリオａとして供出する場合の時刻ｔにおける報酬（ｋＷｈ単価）（図１３の供出電源シナリオリストテーブルの「ｋＷｈ単価」）。なお、ianci_(u,t,a)は、ｋＷｈ単価に代えてΔｋＷ単価を用いてもよく、また、ｋＷｈ単価およびΔｋＷ単価の組合せ計算等の結果に基づく値を用いてもよい。
【００８９】
またモデルの操作変数として以下を設定する。
anciFlg_(u,t,a)：ユニットｕを時刻ｔに供出電源シナリオａへ供出するかどうかのフラグ（０または１）。
【００９０】
さらにモデルの制約式として以下の制約１〜制約３を設定する。
【００９１】
制約１：供出時刻でのユニットの調整力確保制約。すなわち制約１は、ユニットｕの時刻ｔの起動停止フラグをy_(u,t)、出力をpower_(u,t)、最小出力をpowermin_(u)とすると、全てのユニットｕ、時刻ｔについて、式（２）で表される。
【００９２】
【数２】
2020190965.tif 000004
【００９３】
制約２：供出時刻での出力変化量確保制約。すなわち制約２は、全てのユニットｕ、時刻ｔ、および供出電源シナリオａについて、式（３）で表される。
【００９４】
【数３】
2020190965.tif 000005
【００９５】
制約３：需給一致制約。すなわち制約３は、揚水ユニットｍの時刻ｔの放電量をdischarge_(m,t)、時刻ｔの相対小売販売量をdemand_(t)とすると、全ての時刻ｔについて、式（４）で表される。
【００９６】
【数４】
2020190965.tif 000006
【００９７】
そして、収益評価値算出部２１２は、例えば、収入として時間前市場での販売による収入と調整力供出による収入を算出し、この算出結果から調達にかかるコストを減じることで、モデルの目的関数である収益を算出する。調整力供出による収入の算出は、例えば、式（５）にて行う。
【００９８】
【数５】
2020190965.tif 000007
【００９９】
ここで図１９を参照し、供出電源シナリオの電源制約を充足し、実質電力需要を供給可能、かつ収益が最大となる火力発電計画、時間前市場調達販売計画、揚水汲み上げ放水計画の最適化計算を実施したときの結果を示す。図１９は、実施形態１の最適化計算の実施結果の一例を示す図である。図１９に示す結果は、例えば入出力装置１１の出力画面等に表示され、ユーザに対して最適化計算結果を示すインターフェースとされてもよい。
【０１００】
図１９には、受渡し時刻を横軸とし、０時からスタートする３０分刻みの４８コマを１日分の最適化計算結果とする例が示されている。図１９の縦軸は、正方向に発電機出力および市場調達を含む調達量を示し、負方向に相対供給および市場販売を含む供給量と揚水ユニットへの充電量を示している。正方向の調達量は、供給源の種別（石油機、コンバインド機、ガス発電機、石炭発電機、揚水発電機、時間前市場分等）毎に区別可能に表示されている。さらに供給源の種別毎に含まれる各ブロックは、個別の各供給源の出力を示している。
【０１０１】
図１９において、縦軸正方向に示される破線は自社の相対小売供給の電力需要を示し、電力需要を超過する電力が時間前市場に供給されたり揚水発電機の充電に使用されたりする。そして図１９に実線枠で囲まれた各ブロックは、調整力応札時間帯に調整力市場へ電力を供出する際の単位となる供出電源（供出ユニット）を示している。
【０１０２】
なお図１９では、分割する時間コマを３０分単位としたが、１分単位、５分単位等の任意の単位においても同様に実施できる。また図１９では、電力を蓄電するリソースとして揚水発電機を例として挙げたが、蓄電池等のその他の蓄電リソースを利用する場合も同様に実施できる。
【０１０３】
説明を図７に戻す。続いてステップＳ４０４では、収益最大化部２１４は、既定の終了条件に達したか否かを判定する。収益最大化部２１４は、既定の終了条件に達した場合（ステップＳ４０４Ｙｅｓ）、ステップＳ４０５へ処理を移し、既定の終了条件に達していない場合（ステップＳ４０４Ｎｏ）、ステップＳ４０２へ処理を移す。
【０１０４】
ステップＳ４０５では、収益最大化部２１４は、ステップＳ４０２からステップＳ４０３の一連の処理を繰り返した中で収益が最大となる供出電源シナリオを、収益最大となる供出電源シナリオとして決定する。ステップＳ４０５が終了すると、収益最大化部２１４は、収益最大化処理を終了する。
【０１０５】
ステップＳ４０４から再び処理が移されたステップＳ４０２の供出電源シナリオ選択処理において、新たな供出電源シナリオは、例えば、一般的な最適化手法（線形計画法、Simulated  Annealing、遺伝的アルゴリズム、タブーサーチ等）を用いて選択されてもよい。またステップＳ４０４では、これらの最適化手法の終了条件に基づいて収益最大化処理を終了してもよい。
【０１０６】
（実施形態の効果）
以上のように本実施形態の電力計画支援装置は、市場参加者の需給調整市場への供出電源を他の電力市場での約定結果から予測することで、自社電源を供出した場合の発動時間および発動量を予測し、各電源について調整力として供出するシナリオを想定し、電源の供出シナリオの組合せ毎に予測した調整力発動量を絶対確保量とする制約付き最適化を行う。そして、供出シナリオ毎の想定収益を試算し、最経済となる供出電源の組合せを決定する。
【０１０７】
よって本実施形態によれば、需給調整力市場への電源供出による経済メリットを考慮した収益試算、さらには運用時の供出した電源の発動に係る予測値まで含めた計画の経済性評価により、発電計画および各電力市場への入札計画の立案を実現できる。すなわち、需給調整市場へ供出した電源の発動によるインセンティブまで含めて全体として最経済となる計画立案ができる。
【０１０８】
［実施形態２］
上述の実施形態１では、市場参加者の持つ供給余力を需給調整市場に供出する場合について述べたが、本発明はこれに限らず、例えば、運用時に発生した所定の発電機の余力については、送配電事業者等の系統運用者が余力として活用可能である場合（以下、余力活用）にも本発明を適用することができる。以下、この例を実施形態２とし、実施形態１と異なる点のみ説明する。
【０１０９】
例えば、市場参加者の保有する各電源について、余剰電力の供出が需給調整市場か余力活用かを示す供出タイプを図２０に示す形式で管理する。そして図５に示す市場参加者供出電源推定処理のステップＳ５０９の需給調整市場へ供出する可能性のある電源の供出電源候補想定処理では、図２０を参照し、例えばステップＳ５０８で特定した市場参加者の使用電源以外の電源で、かつ供出タイプが需給調整市場である電源を、需給調整市場への供出電源候補としてもよい。または、特定した市場参加者の使用電源時刻ｔにおける出力と対象電源の最大出力から余剰出力を算出し、所定の余剰出力を有し、かつ供出タイプが需給調整市場である電源を、需給調整市場供出電源候補に加えてもよい。
【０１１０】
さらにステップＳ５０９では、需給調整市場への入札を予測すると共に、余力活用へ供出する余力量とそのΔｋＷ単価について予測する。余力活用へ供出する余力量の予測の具体的手段としては、例えば、ステップＳ５０３にて想定した発電計画結果に基づき、余力活用タイプの電源毎の使用電源時刻ｔにおける出力と対象電源の最大出力から算出した余剰出力を余力量としてもよい。またΔｋＷ単価の具体的な予測手段としては、例えば、ステップＳ５０３で想定した発電計画結果での供出電源の使用電源時刻ｔの増分燃料費に所定の係数を掛けた値を予測値としてもよい。このようにして得られた他供出電源推定結果は、例えば、図２２に示す形式で管理される。図２２に示す他供出電源推定結果は、例えば入出力装置１１の出力画面等に表示され、ユーザに対して他供出電源推定結果を示すインターフェースとされてもよい。
【０１１１】
次に図４に示す市場参加者の供出電源推定処理におけるステップＳ２０３の供出電源シナリオ決定処理において、自社の保有電源の中から需給調整市場へ供出する電源の組合せと電源毎の時刻毎の応札、ΔｋＷ単価、ｋＷｈ単価に加えて、余力活用へ供出する電源と対象電源の時刻毎のΔｋＷ単価を供出電源シナリオとして仮決定する。供出する電源の組合せの仮決定を行う具体的な手段としては、例えば、自社保有する各電源について、余剰電力の供出が需給調整市場か余力活用かを示す供出タイプを図２１に示す形式で管理し、自社における発電計画の結果に基づき、余力活用へ供出する電源の余剰出力については、必ず供出するのものとする。需給調整市場へ供出する電源の組合せの仮決定方法は、実施形態１と同様である。このようにして仮決定した供出電源シナリオは、例えば図２３に示す形式で供出電源シナリオリストＤＢ１０に格納される。
【０１１２】
次に広域メリットオーダシミュレーション部２０３では、他社供出電源推定結果データ（図２２参照）と、需給調整市場の買い入札情報と、仮決定された供出電源シナリオデータ（図２３参照）の内から選択した１つの供出電源シナリオとを取得する。そして、広域メリットオーダシミュレーション部２０３は、取得した他社の供出電源推定結果と、需給調整市場の買い入札情報と、仮決定された自社の供出電源シナリオとに基づいて、図２２および図２３に示す他社および自社の時間帯別の応札および余力に基づき、例えば、ｋＷｈ価格が低い順に落札するように約定処理を実施し、各時間帯毎に約定または余力として採用するかを決定する。
【０１１３】
そして、調整力発動量予測部２０５では、広域メリットオーダシミュレーションの結果として落札または採用された調整力のリストと、見込まれるエリア需要予測誤差に基づき、選択した供出電源シナリオにおける各発電機の運用時の時間帯別の発動量を予測する。具体的には、例えば想定されるエリア需要予測誤差が発生した際の需給を一致させるために必要な供給量に対して、約定または採用された全ての電源の中から、ΔｋＷｈ価格が最安のものから順番に発動するものとして、時間帯別の各発電機の発動量を予測する。
【０１１４】
このようにして予測した供出電源シナリオにおける各発電機の需給調整市場での約定結果と余力活用での採用結果、および運用時の発動量は、例えば図２４に示す形式で供出電源シナリオ別調整力発動予測値ＤＢ８に登録される。図２４に示す供出電源シナリオ別調整力発動予測結果は、例えば入出力装置１１の出力画面等に表示され、ユーザに対して供出電源シナリオ別調整力発動予測結果を示すインターフェースとされてもよい。
【０１１５】
その他は、実施形態１と同様の構成および処理で、実施形態２における供出タイプが「余力活用」の電源についても、供出タイプが「需給調整市場」の電源同様に供出計画立案処理を実施可能である。
【０１１６】
なお、本発明は上記実施形態だけに限定されることなく、実施段階ではその要旨を逸脱しない範囲内で構成要素を変形して具体化できる。例えば、本実施例は、卸電力市場としてスポット市場、及び時間前市場を例に挙げたが、複数の主体間で電力の取引を行うその他の電力取引市場においても利用することが可能である。
【０１１７】
また上記実施形態は本発明を分かりやすく説明するためのものであり、必ずしも説明した全ての構成を備えるものに限定されるない。また、ある実施形態の構成の一部を他の実施形態の構成に置き換えることが可能であり、また、ある実施形態の構成に他の実施形態の構成を加えることも可能である。また、各実施形態の構成の一部について、他の構成の追加、削除、置換、統合、または分散をすることが可能である。また実施形態で示した各処理は、処理効率または実装効率に基づいて適宜分散または統合してもよい。
【符号の説明】
【０１１８】
１：電力計画支援装置、１３ａ：供出電源発動予測部、１３ｂ：供出計画立案部、２０１：市場参加者供出電源推定部、２０２：供出電源シナリオ決定部、２０３：広域メリットオーダシミュレーション部、２０４：需給変動量予測部、２０５：調整力発動量予測部、２０６：電源運用制約決定部、２０７：時間前市場価格予測部、２０８：供出電源シナリオ選択部、２０９：約付き火力発電計画部、２１０：時間前市場入札計画部、２１１：放水計画部、２１２：収益評価値算出部、２１３：取引実行部、２１４：収益最大化部
【図１】
2020190965.tif 000008
【図２】
2020190965.tif 000009
【図３】
2020190965.tif 000010
【図４】
2020190965.tif 000011
【図５】
2020190965.tif 000012
【図６】
2020190965.tif 000013
【図７】
2020190965.tif 000014
【図８】
2020190965.tif 000015
【図９】
2020190965.tif 000016
【図１０】
2020190965.tif 000017
【図１１】
2020190965.tif 000018
【図１２】
2020190965.tif 000019
【図１３】
2020190965.tif 000020
【図１４】
2020190965.tif 000021
【図１５】
2020190965.tif 000022
【図１６】
2020190965.tif 000023
【図１７】
2020190965.tif 000024
【図１８】
2020190965.tif 000025
【図１９】
2020190965.tif 000026
【図２０】
2020190965.tif 000027
【図２１】
2020190965.tif 000028
【図２２】
2020190965.tif 000029
【図２３】
2020190965.tif 000030
【図２４】
2020190965.tif 000031